(57)【要約】    【課題】  広画角で像ぶれ補正に際しても偏心収差の発生が少なく、高い光学性能を容易に維持することができるズームレンズを得ること。    【解決手段】  物体側から像側へ順に配置された、負の屈折力の第１レンズ群、正の屈折力の第２レンズ群、負の屈折力の第３レンズ群、正の屈折力の第４レンズ群より構成され、ズーミングに際して、第２レンズ群と第４レンズ群は移動し、ズーミングに際して隣り合うレンズ群の間隔が変化するズームレンズであって、第３レンズ群は、物体側から像側へ順に配置された負の屈折力の第３ａ群、負の屈折力の第３ｂ群より構成され、像ぶれ補正に際して、第３ａ群と第３ｂ群のいずれか一方の部分群が光軸に対して垂直方向の成分を持つように移動し、第３ａ群の焦点距離ｆ３ａ、第３ｂ群の焦点距離ｆ３ｂを適切に設定すること。【選択図】    図１
2017146393.tif 000002
【特許請求の範囲】
【請求項１】
物体側から像側へ順に配置された、負の屈折力の第１レンズ群、正の屈折力の第２レンズ群、負の屈折力の第３レンズ群、正の屈折力の第４レンズ群より構成され、
ズーミングに際して、前記第２レンズ群と前記第４レンズ群は移動し、ズーミングに際して隣り合うレンズ群の間隔が変化するズームレンズであって、
前記第３レンズ群は、物体側から像側へ順に配置された負の屈折力の第３ａ群、負の屈折力の第３ｂ群より構成され、像ぶれ補正に際して、前記第３ａ群と前記第３ｂ群のいずれか一方の部分群が光軸に対して垂直方向の成分を持つように移動し、
前記第３ａ群の焦点距離をｆ３ａ、前記第３ｂ群の焦点距離をｆ３ｂとするとき、
０．６＜ｆ３ａ／ｆ３ｂ＜１．７
なる条件式を満足することを特徴とするズームレンズ。
【請求項２】
像ぶれ補正に際して光軸に対して垂直方向の成分を持つように移動する部分群は、少なくとも負レンズと正レンズを含むことを特徴とする請求項１に記載のズームレンズ。
【請求項３】
前記第１レンズ群の焦点距離をｆ１、前記第３レンズ群の焦点距離をｆ３とするとき、
０．３＜ｆ１／ｆ３＜０．８
なる条件式を満足することを特徴とする請求項１又は２に記載のズームレンズ。
【請求項４】
広角端で、無限遠に合焦しているときの像ぶれ補正に際して光軸に対して垂直方向の成分を持つように移動する部分群の横倍率をβｉｓｗ、像ぶれ補正に際して光軸に対して垂直方向の成分を持つように移動する部分群より像側に位置する全ての光学系の広角端における合成の横倍率をβｒｗとするとき、
０．３＜｜（１−βｉｓｗ）×βｒｗ｜＜０．９
なる条件式を満足することを特徴とする請求項１乃至３のいずれか１項に記載のズームレンズ。
【請求項５】
像ぶれ補正に際して光軸に対して垂直方向の成分を持つように移動する部分群の最も物体側のレンズ面の曲率半径をｒａ、像ぶれ補正に際して光軸に対して垂直方向の成分を持つように移動する部分群の最も像側のレンズ面の曲率半径をｒｂとするとき、
−１．５＜（ｒａ＋ｒｂ）／（ｒａ−ｒｂ）＜０．５
なる条件式を満足することを特徴とする請求項１乃至４のいずれか１項に記載のズームレンズ。
【請求項６】
前記第２レンズ群の焦点距離をｆ２、前記第３レンズ群の焦点距離をｆ３とするとき、
−１．２＜ｆ２／ｆ３＜−０．６
なる条件式を満足することを特徴とする請求項１乃至５のいずれか１項に記載のズームレンズ。
【請求項７】
前記第３レンズ群の焦点距離をｆ３、前記第４レンズ群の焦点距離をｆ４とするとき、
−１．３＜ｆ４／ｆ３＜−０．８
なる条件式を満足することを特徴とする請求項１乃至６のいずれか１項に記載のズームレンズ。
【請求項８】
前記第２レンズ群は物体側から像側へ順に配置された、正の屈折力の第２ａ群、正の屈折力の第２ｂ群より構成され、フォーカシングに際して前記第２ａ群が移動することを特徴とする請求項１乃至７のいずれか１項に記載のズームレンズ。
【請求項９】
広角端から望遠端へのズーミングに際して前記第１レンズ群は像側に凸状の軌跡で移動し、前記第２レンズ群と前記第３レンズ群と前記第４レンズ群は物体側へ移動することを特徴とする請求項１乃至８のいずれか１項に記載のズームレンズ。
【請求項１０】
請求項１乃至９のいずれか１項に記載のズームレンズと、該ズームレンズによって形成される像を受光する撮像装置を有していることを特徴とする撮像装置。
【発明の詳細な説明】
【技術分野】
【０００１】
本発明は、ズームレンズに関し、デジタルカメラ、ビデオカメラ、ＴＶカメラ、監視用カメラ、銀塩フィルム用カメラ等の撮像装置に好適なものである。
【背景技術】
【０００２】
ビデオカメラ、デジタルスチルカメラ等の撮像装置（カメラ）に用いる撮像光学系には、広画角で全ズーム範囲にわたり高い光学性能を有したズームレンズであることが求められている。また高精細な画像を得るために撮像時の手ぶれ等の振動より生ずる像ぶれによる画像の劣化を抑制する機能（防振機能）を有すること等が求められている。
【０００３】
従来、広画角化が容易なズームレンズとして、最も物体側に負の屈折力のレンズ群が位置するネガティブリード型のズームレンズが知られている。ネガティブリード型で、光学系の一部のレンズ群を光軸に対して垂直方向の成分を持つ方向に移動させて像ぶれを補正する像ぶれ補正機能を備えた広画角のズームレンズが知られている（特許文献１乃至３）。
【０００４】
特許文献１乃至３では物体側から像側へ順に、負、正、負、正の屈折力のレンズ群からなり、各レンズ群間隔を変化させてズーミングを行う４群ズームレンズを開示している。そして特許文献１では、第３レンズ群全体を光軸に対して略垂直方向に移動して像ぶれ補正を行っている。また特許文献２では、第３レンズ群を負の屈折力の第３ａ群と負の屈折力の第３ｂ群により構成し、そのうち、一方のレンズ群を光軸に対して略垂直方向に移動して、像ぶれ補正を行っている。特許文献３では第３レンズ群の一部のレンズ群で像ぶれを補正し、第２レンズ群の一部のレンズ群でフォーカシングを行っている。
【先行技術文献】
【特許文献】
【０００５】
【特許文献１】特開平７−１５２００２公報
【特許文献２】特開平１１−２３１２２０公報
【特許文献３】特開平１０−０３９２１０号公報
【発明の概要】
【発明が解決しようとする課題】
【０００６】
負の屈折力のレンズ群が先行するネガティブリード型のズームレンズは、広画角化が比較的容易であるという特徴がある。しかしながら、ネガティブリード型のズームレンズは開口絞りに対し、レンズ構成が非対称となるため、諸収差の補正が難しい。例えば像ぶれ補正の際に偏心収差の発生が多く、高い光学性能を得ることが大変難しい。
【０００７】
ネガティブリード型のズームレンズにおいて広画角化を図りつつ、像ぶれ補正の際の偏心収差の発生が少なく、高い光学性能を維持するには、各レンズ群の屈折力（パワー）やレンズ構成等を適切に設定することが重要になってくる。特に、像ぶれ補正用の部分群の屈折力やレンズ構成等を適切に設定しないと広画角化を図りつつ、像ぶれ補正の際に高い光学性能を維持することが困難になってくる。
【０００８】
例えば前述した４群ズームレンズにおいて第３レンズ群を２つの負の屈折力の部分群に分割し、そのうち一方の部分群で像ぶれ補正を行うには、２つの負の屈折力の部分群の屈折力やレンズ構成等を適切に設定することが重要になってくる。
【０００９】
本発明は、広画角で像ぶれ補正に際しても偏心収差の発生が少なく、高い光学性能を容易に維持することができるズームレンズの提供を目的とする。
【課題を解決するための手段】
【００１０】
本発明のズームレンズは、物体側から像側へ順に配置された、負の屈折力の第１レンズ群、正の屈折力の第２レンズ群、負の屈折力の第３レンズ群、正の屈折力の第４レンズ群より構成され、
ズーミングに際して、前記第２レンズ群と前記第４レンズ群は移動し、ズーミングに際して隣り合うレンズ群の間隔が変化するズームレンズであって、
前記第３レンズ群は、物体側から像側へ順に配置された負の屈折力の第３ａ群、負の屈折力の第３ｂ群より構成され、像ぶれ補正に際して、前記第３ａ群と前記第３ｂ群のいずれか一方の部分群が光軸に対して垂直方向の成分を持つように移動し、
前記第３ａ群の焦点距離をｆ３ａ、前記第３ｂ群の焦点距離をｆ３ｂとするとき、
０．６＜ｆ３ａ／ｆ３ｂ＜１．７
なる条件式を満足することを特徴としている。
【発明の効果】
【００１１】
本発明によれば、広画角で像ぶれ補正に際しても偏心収差の発生が少なく、高い光学性能を容易に維持することができるズームレンズが得られる。
【図面の簡単な説明】
【００１２】
【図１】実施例１の広角端におけるレンズ断面図
【図２】（Ａ）、（Ｂ）、（Ｃ）  実施例１の広角端における縦収差図、広角端における基準状態の横収差図、０．３°の像ぶれ補正をしたときの横収差図
【図３】（Ａ）、（Ｂ）、（Ｃ）  実施例１の望遠端における縦収差図、望遠端における基準状態の横収差図、０．３°の像ぶれ補正をしたときの横収差図
【図４】実施例２の広角端におけるレンズ断面図
【図５】（Ａ）、（Ｂ）、（Ｃ）  実施例２の広角端における縦収差図、広角端における基準状態の横収差図、０．３°の像ぶれ補正をしたときの横収差図
【図６】（Ａ）、（Ｂ）、（Ｃ）  実施例２の望遠端における縦収差図、望遠端における基準状態の横収差図、０．３°の像ぶれ補正をしたときの横収差図
【図７】実施例３の広角端におけるレンズ断面図
【図８】（Ａ）、（Ｂ）、（Ｃ）  実施例３の広角端における縦収差図、広角端における基準状態の横収差図、０．３°の像ぶれ補正をしたときの横収差図
【図９】（Ａ）、（Ｂ）、（Ｃ）  実施例３の望遠端における縦収差図、望遠端における基準状態の横収差図、０．３°の像ぶれ補正をしたときの横収差図
【図１０】実施例４の広角端におけるレンズ断面図
【図１１】（Ａ）、（Ｂ）、（Ｃ）  実施例４の広角端における縦収差図、広角端における基準状態の横収差図、０．３°の像ぶれ補正をしたときの横収差図
【図１２】（Ａ）、（Ｂ）、（Ｃ）  実施例４の望遠端における縦収差図、望遠端における基準状態の横収差図、０．３°の像ぶれ補正をしたときの横収差図
【図１３】実施例５の広角端におけるレンズ断面図
【図１４】（Ａ）、（Ｂ）、（Ｃ）  実施例５の広角端における縦収差図、広角端における基準状態の横収差図、０．３°の像ぶれ補正をしたときの横収差図
【図１５】（Ａ）、（Ｂ）、（Ｃ）  実施例５の望遠端における縦収差図、望遠端における基準状態の横収差図、０．３°の像ぶれ補正をしたときの横収差図
【図１６】実施例６の広角端におけるレンズ断面図
【図１７】（Ａ）、（Ｂ）、（Ｃ）  実施例６の広角端における縦収差図、広角端における基準状態の横収差図、０．３°の像ぶれ補正をしたときの横収差図
【図１８】（Ａ）、（Ｂ）、（Ｃ）  実施例６の望遠端における縦収差図、望遠端における基準状態の横収差図、０．３°の像ぶれ補正をしたときの横収差図
【図１９】本発明による撮像装置の要部概略図
【発明を実施するための形態】
【００１３】
以下に、本発明のズームレンズ及びそれを有する撮像装置の実施の形態を添付の図面に基づいて説明する。
【００１４】
本発明のズームレンズは、物体側から像側へ順に配置された、負の屈折力の第１レンズ群、正の屈折力の第２レンズ群、負の屈折力の第３レンズ群、正の屈折力の第４レンズ群より構成されている。ズーミングに際して、第２レンズ群と第４レンズ群は移動する。ズーミングに際して、第１レンズ群と第２レンズ群の間隔が変化し、第２レンズ群と第３レンズ群の間隔が変化し、第３レンズ群と第４レンズ群の間隔が変化する。
【００１５】
第３レンズ群は物体側から像側へ順に配置された負の屈折力の第３ａ群、負の屈折力の第３ｂ群より構成され、像ぶれ補正に際して、第３ａ群又は第３ｂ群は光軸に対して垂直方向の成分を持つように移動する。ここでレンズ群とは、ズーミングの際に変化する光軸方向のレンズ群間隔の変化によって分けられるレンズ系を意味する。
【００１６】
図１は本発明のズームレンズの実施例１の広角端（短焦点距離端）におけるレンズ断面図である。図２（Ａ）、（Ｂ）、（Ｃ）は、それぞれ実施例１の広角端での基準状態（像ぶれ補正なし）での縦収差図、広角端での基準状態（像ぶれ補正なし）での横収差図、０．３°の像ぶれ補正をした時の横収差図である。図３（Ａ）、（Ｂ）、（Ｃ）は、それぞれ実施例１の望遠端（長焦点距離端）での基準状態での縦収差図、望遠端での基準状態での横収差図、０．３°の像ぶれ補正をした時の横収差図である。いずれの図も、物体距離が無限遠時の状態を示している。
【００１７】
図４は本発明のズームレンズの実施例２の広角端におけるレンズ断面図である。図５（Ａ）、（Ｂ）、（Ｃ）は、それぞれ実施例２の広角端での基準状態での縦収差図、広角端での基準状態での横収差図、０．３°の像ぶれ補正をした時の横収差図である。図６（Ａ）、（Ｂ）、（Ｃ）は、それぞれ実施例２の望遠端での基準状態での縦収差図、望遠端での基準状態での横収差図、０．３°の像ぶれ補正をした時の横収差図である。
【００１８】
図７は本発明のズームレンズの実施例３の広角端におけるレンズ断面図である。図８（Ａ）、（Ｂ）、（Ｃ）は、それぞれ実施例３の広角端での基準状態での縦収差図、広角端での基準状態での横収差図、０．３°の像ぶれ補正をした時の横収差図である。図９（Ａ）、（Ｂ）、（Ｃ）は、それぞれ実施例３の望遠端での基準状態での縦収差図、望遠端での基準状態での横収差図、０．３°の像ぶれ補正をした時の横収差図である。
【００１９】
図１０は本発明のズームレンズの実施例４の広角端におけるレンズ断面図である。図１１（Ａ）、（Ｂ）、（Ｃ）は、それぞれ実施例４の広角端での基準状態での縦収差図、広角端での基準状態での横収差図、０．３°の像ぶれ補正をした時の横収差図である。図１２（Ａ）、（Ｂ）、（Ｃ）は、それぞれ実施例４の望遠端での基準状態での縦収差図、望遠端での基準状態での横収差図、０．３°の像ぶれ補正をした時の横収差図である。
【００２０】
図１３は本発明のズームレンズの実施例５の広角端におけるレンズ断面図である。図１４（Ａ）、（Ｂ）、（Ｃ）は、それぞれ実施例５の広角端での基準状態での縦収差図、広角端での基準状態での横収差図、０．３°の像ぶれ補正をした時の横収差図である。図１５（Ａ）、（Ｂ）、（Ｃ）は、それぞれ実施例５の望遠端での基準状態での縦収差図、望遠端での基準状態での横収差図、０．３°の像ぶれ補正をした時の横収差図である。
【００２１】
図１６は本発明のズームレンズの実施例６の広角端におけるレンズ断面図である。図１７（Ａ）、（Ｂ）、（Ｃ）は、それぞれ実施例６の広角端での基準状態での縦収差図、広角端での基準状態での横収差図、０．３°の像ぶれ補正をした時の横収差図である。図１８（Ａ）、（Ｂ）、（Ｃ）は、それぞれ実施例６の望遠端での基準状態での縦収差図、望遠端での基準状態での横収差図、０．３°の像ぶれ補正をした時の横収差図である。図１９は本発明の撮像装置の要部概略図である。
【００２２】
各実施例のズームレンズはビデオカメラやデジタルビデオカメラそして銀塩フィルムカメラ等の撮像装置に用いられる撮像光学系（光学系）である。レンズ断面図において、左方が物体側（前方）で、右方が像側（後方）である。レンズ断面図においてｉは物体側からのレンズ群の順番を示し、Ｌｉは第ｉレンズ群である。
【００２３】
Ｌ２ａは第２ａ群、Ｌ２ｂは第２ｂ群である。Ｌ３ａは第３ａ群、Ｌ３ｂは第３ｂ群である。ＳＰは開口絞りである。ＳＳＰはＦナンバー絞り（Ｆｎｏ絞り）である。Ｆナンバー絞りＳＳＰはズーミングに際して開口径を変えて各ズーム位置におけるＦナンバーの値を調整している。
【００２４】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。矢印は広角端から望遠端へのズーミングにおける各レンズ群の移動軌跡を示している。フォーカスに関する矢印は無限遠から近距離へのフォーカシングに際しての部分群の移動方向を示す。像ぶれ補正に関する矢印は像ぶれ補正に際して、光軸に対し垂直方向の成分を持つ方向に移動する部分群の移動方向を示す。
【００２５】
それぞれの縦収差図は、左から順に、球面収差、非点収差、歪曲、倍率色収差を表している。球面収差と倍率色収差を示す図において、実線のｄはｄ線（５８７．６ｎｍ）、二点破線のｇはｇ線（４３５．８ｎｍ）を表している。また、非点収差を示す図において、実線のＳはｄ線のサジタル方向、破線のＭはｄ線のメリディオナル方向を表している。また、歪曲を示す図は、ｄ線における歪曲を表している。ＦｎｏはＦナンバーである。ωは半画角、横収差図におけるｈｇｔは像高である。横収差図においてＳはサジタル光線、Ｍはメリディオナル光線を表している。
【００２６】
尚、以下の各実施例において広角端と望遠端は変倍用レンズ群が機構上、光軸上を移動可能な範囲の両端に位置したときのズーム位置をいう。
【００２７】
各実施例のズームレンズは、物体側より像側へ順に（連続して）、負の屈折力の第１レンズ群Ｌ１、正の屈折力の第２レンズ群Ｌ２、負の屈折力の第３レンズ群Ｌ３、正の屈折力の第４レンズ群Ｌ４を有している。ズーミングに際して各レンズ群が移動する。第３レンズ群Ｌ３は光軸に対して垂直方向の成分を持つ方向に移動して結像位置を光軸に対して垂直方向に移動する像ぶれ補正用の部分群を有している。
【００２８】
各実施例において、広角端から望遠端へのズーミングに際しての各レンズ群の移動は、次のとおりである。広角端に比べて望遠端において第１レンズ群Ｌ１と第２レンズ群Ｌ２の間隔が減少、第２レンズ群Ｌ２と第３レンズ群Ｌ３の間隔が増加、第３レンズ群Ｌ３と第４レンズ群Ｌ４の間隔が減少するように各レンズ群が移動する。その際、広角端から望遠端へのズーミングに際して第２レンズ群Ｌ２と第４レンズ群Ｌ４が光軸上を物体側に移動し、第１レンズ群Ｌ１が像側に凸状の軌跡を描くような軌跡で光軸上を移動する。
【００２９】
各実施例では、以上のような構成により、広角端において第１レンズ群Ｌ１が負の屈折力、第２レンズ群Ｌ２以降の合成レンズ群が正の屈折力となってレンズ系全体がレトロフォーカス型の屈折力配置となるようにしている。これにより広角端での広画角化を有利にすると共に十分な長さのバックフォーカスの確保を容易にしている。また、ズーミングに際して第１レンズ群Ｌ１を非線形に移動させることで変倍に伴う像面変動を補正している。
【００３０】
有効光線の制御に関しては、第２レンズ群Ｌ２内に変倍に際して第２レンズ群Ｌ２と一体移動する開口絞りＳＰ、第３レンズ群Ｌ３の物体側に変倍に際して第３レンズ群Ｌ３と一体移動する開放Ｆｎｏ絞りＳＳＰを配置している。
【００３１】
物体距離が無限遠から有限距離に変化したときの合焦（フォーカシング）に際しては、次のとおりである。第２レンズ群Ｌ２を正の屈折力の第２ａ群Ｌ２ａと正の屈折力の第２ｂ群Ｌ２ｂに分けて、第２ａ群Ｌ２ａを光軸上像側へ移動させている。このような構成とすることで、十分なピント敏感度を持ったレンズ群で合焦を行うことが容易となり、少ない駆動量で広い物体距離範囲での合焦が容易となると共に、合焦の際のレンズ間隔変化が少なくできるため収差変動も小さくすることが容易となる。
【００３２】
また第１レンズ群Ｌ１内を複数のレンズ群に分けてその空気間隔を変えて合焦を行う方式ではないため、広画角化で特に光線の屈折角が大きくなる第１レンズ群Ｌ１内の間隔変化が無く、合焦による画面周辺の像面変動などの収差変動が小さく抑えられている。
【００３３】
本発明のズームレンズは、負の屈折力の第３レンズ群Ｌ３を、物体側から像側へ順に、負の屈折力の第３ａ群Ｌ３ａと負の屈折力の第３ｂ群Ｌ３ｂで構成している。そして、ズームレンズに振動が与えられた時の像ぶれ補正（防振補正）の際には、第３ａ群Ｌ３ａ又は第３ｂ群Ｌ３ｂのいずれか一方の部分群を光軸に対して垂直方向の成分を持つように移動させている。また、第３ａ群Ｌ３ａと第３ｂ群Ｌ３ｂの負の屈折力を適切に設定している。
【００３４】
広画角を含むズームレンズにおいては、第３レンズ群Ｌ３には、変倍にも大きく寄与するように強い負の屈折力を与えることが、全系を小型化にしつつ高ズーム比を得るために望ましい。一方、このようなズームレンズの中に像ぶれ補正機構を付加する場合、全系の中で比較的レンズ径の小さくなる第３レンズ群Ｌ３にその機構を設けるのが、駆動機構を含めたレンズ全体の小型化を図るためにも望ましい。
【００３５】
しかし、全系の中では比較的レンズ径が小さくなるとはいえ、強い負の屈折力の第３レンズ群は、収差補正の観点から必然的に構成レンズ枚数も多くなり且つ重くなる。そのため、第３レンズ群Ｌ３全体を駆動させて像ぶれ補正を行うのは駆動機構に大きな負荷が掛かるという難点がある。また、第３レンズ群Ｌ３は強い負の屈折力を有するため、偏心敏感度が大きくなり、適切な像ぶれ補正を行うためには非常に高精度の駆動制御を行わなくてはならないため、さらに難易度が上がることになる。
【００３６】
そのため本発明のズームレンズでは、第３レンズ群Ｌ３を前述したように負の屈折力の２つの部分レンズ群よりなる、第３ａ群Ｌ３ａと第３ｂ群Ｌ３ｂで構成している。そしてそのどちらか一方の部分群で像ぶれ補正を行う構成としている。また、２つの部分群である第３ａ群Ｌ３ａと第３ｂ群Ｌ３ｂは、共に比較的弱い負の屈折力を持つ部分群としている。
【００３７】
各レンズ群の屈折力を弱くすることで、各レンズ群を構成するレンズ枚数は少なくすることが容易となり、結果として各レンズ群の軽量化が容易となり、像ぶれ補正機構（防振駆動機構）への負荷も軽減させることができる。また、同様に各レンズ群の屈折力を弱くできたことで偏心敏感度も小さくすることができ、駆動制御に要求させる精度も緩和することができるようにしている。
【００３８】
各実施例において、第３ａ群Ｌ３ａの焦点距離をｆ３ａ、第３ｂ群Ｌ３ｂの焦点距離をｆ３ｂとする。このとき、
０．６＜ｆ３ａ／ｆ３ｂ＜１．７    ・・・（１）
なる条件式を満足する。
【００３９】
条件式（１）は、第３ａ群Ｌ３ａと第３ｂ群Ｌ３ｂの屈折力の比（バランス）を適切にしている。像ぶれ補正用の部分群（防振群）を光軸に対して垂直方向の成分を持つように移動させたときの光学性能と像位置補正の敏感度のバランスを良好に維持するためのものである。条件式（１）の下限または上限を超えてどちらかの部分群の屈折力が強くなると、２つに分けた部分群に収差分担を適切に配分することが難しくなり、像ぶれ補正の際の光学性能を良好に保つことが困難となってくる。
【００４０】
また第３ａ群Ｌ３ａ及び第３ｂ群Ｌ３ｂのうち、像ぶれ補正のために移動させる部分群の屈折力が条件式（１）の範囲を超えて強くなったり弱くなったりすると適度な変位量で十分な防振角を得られる適切な敏感度を保つことが困難となってくる。像ぶれ補正用の部分群の屈折力が強すぎると、変位量に対する像位置の補正量（防振敏感度）が大きくなる。そうすると、一定の像ぶれ補正効果を得る際の像ぶれ補正用の部分群の変位量（移動量）が小さくなり過ぎて、その移動量を電気的又は機械的に精度良く駆動させるのが困難になってくる。
【００４１】
また、像ぶれ補正用の部分群の屈折力が弱すぎると、防振敏感度が低くなり過ぎ、像ぶれ補正の際に光軸に対して垂直方向の成分を持つ方向に駆動させる量が大きくなって駆動機構が大型化してきて好ましくない。また、更に好ましくは条件式（１）の数値範囲を次の如く設定するのが良い。
０．６５＜ｆ３ａ／ｆ３ｂ＜１．５５    ・・・（１ａ）
【００４２】
各実施例によれば、以上のようにレンズ構成を規定することによって、像ぶれ補正用の部分群を駆動する機構に過大な負荷が生じない簡易なレンズ構成で、像ぶれ補正の際の駆動制御が容易となる。且つ像ぶれ補正の際の収差も良好に補正された、広画角なズームレンズが実現できる。
【００４３】
各実施例において、像ぶれ補正の際の光学性能を良好に保つためには、次の如く構成するのが良い。第３ａ群Ｌ３ａ、第３ｂ群Ｌ３ｂのうち像ぶれ補正の際に光軸に対して垂直方向の成分を持つように移動させる部分群は、少なくとも１枚の負レンズと１枚の正レンズを含む構成であることが望ましい。
【００４４】
当該部分群は条件式（１）で規定したように適度な負の屈折力を有しており、当然負レンズを含むレンズ構成である。そこに少なくともあと１枚の正レンズを含む構成とすることで、像ぶれ補正の際に発生する偏心収差を良好に補正することができ、高い光学性能を保つことが容易となる。
【００４５】
以上のように本発明によれば、像ぶれ補正用の部分群を駆動する機構に過大な負荷が生じない簡易なレンズ構成で、全系としてもコンパクトな広画角なズームレンズが得られる。また同時に、像ぶれ補正時の駆動制御が容易で、像ぶれ補正の際の収差も良好に補正された、広画角なズームレンズが得られる。
【００４６】
各実施例において好ましくは次の条件式のうち１つ以上を満足するのが良い。第１レンズ群の焦点距離をｆ１、第３レンズ群の焦点距離をｆ３とする。広角端のズーム位置で、無限遠に合焦しているときの像ぶれ補正に際して光軸に対して垂直方向の成分を持つように移動する部分群の横倍率をβｉｓｗとする。広角端のズーム位置で像ぶれ補正に際して光軸に対して垂直方向の成分を持つように移動する部分群より像側に位置する全ての光学系の合成の横倍率をβｒｗとする。
【００４７】
像ぶれ補正に際して光軸に対して垂直方向の成分を持つように移動する部分群の最も物体側のレンズ面の曲率半径をｒａ、像ぶれ補正に際して光軸に対して垂直方向の成分を持つように移動する部分群の最も像側のレンズ面の曲率半径をｒｂとする。第２レンズ群の焦点距離をｆ２とする。第４レンズ群の焦点距離をｆ４とする。
【００４８】
このとき、次の条件式のうち１つ以上を満足するのが良い。
０．３＜ｆ１／ｆ３＜０．８                        ・・・（２）
０．３＜｜（１−βｉｓｗ）×βｒｗ｜＜０．９      ・・・（３）
−１．５＜（ｒａ＋ｒｂ）／（ｒａ−ｒｂ）＜０．５  ・・・（４）
−１．２＜ｆ２／ｆ３＜−０．６                    ・・・（５）
−１．３＜ｆ４／ｆ３＜−０．８                    ・・・（６）
【００４９】
次に前述の各条件式の技術的意味について説明する。条件式（２）は、第１レンズ群Ｌ１と第３レンズ群Ｌ３の屈折力の比を規定する。条件式（２）は全系の大型化を抑制しつつ広画角なズームレンズを実現するためのものである。広画角の領域を含むズームレンズでは、物体側から像側へ順に、負、正、負、正の屈折力の第１レンズ群Ｌ１乃至第４レンズ群Ｌ４を配置したレンズ構成が有効である。且つ最も物体側の第１レンズ群Ｌ１の負の屈折力を強くするのが広画角化に有利なレンズ構成となる。
【００５０】
条件式（２）の下限を超えて第１レンズ群Ｌ１の負の屈折力が強いと（負の屈折力の絶対値が大きいと）、全系の小型化には有利な一方、強く発生する負の歪曲や像面湾曲などの諸収差の補正が困難となり好ましくない。また条件式（２）の上限を超えて第１レンズ群Ｌ１の負の屈折力が弱いと（負の屈折力の絶対値が小さいと）、広画角を実現しようとすると全系が大型化してくる。また、更に好ましくは条件式（２）の数値範囲を次の如く設定するのが良い。
０．４＜ｆ１／ｆ３＜０．７                        ・・・（２ａ）
【００５１】
条件式（３）は、高い精度の防振効果と防振駆動機構の負荷の軽減を図るためのものである。ここでβｉｓｗは広角端で、無限遠物体に合焦状態での第３ａ群Ｌ３ａ又は第３ｂ群Ｌ３ｂのうち像ぶれ補正のために駆動させる部分群（以下、部分群Ｌｉｓとする）の横倍率である。βｒは部分群Ｌｉｓより像側に配置された光学系の合成の横倍率である。条件式（３）は、部分群Ｌｉｓの光軸に対する垂直方向の成分の移動量と、これに伴い発生する結像面上の像点移動量の比を表し、防振効果の度合いを適切にするためのものである。以下、条件式（３）の値を防振敏感度と称する。
【００５２】
条件式（３）の上限を超えて防振敏感度が高すぎると一定の防振効果を得るときの部分群Ｌｉｓの変位量（移動量）が小さくなり過ぎて、その移動量を電気的又は機械的に精度良く駆動させるのが困難になってくる。また、条件式（３）の下限値を超えて防振敏感度が低すぎる場合、像ぶれ補正の際の光軸に対する垂直方向の成分の変位量が大きくなって駆動機構の負荷が大きくなり好ましくない。また、更に好ましくは条件式（３）の数値範囲を次の如く設定するのが良い。
０．３５＜｜（１−βｉｓｗ）×βｒｗ｜＜０．８０    ・・・（３ａ）
【００５３】
条件式（４）は像ぶれ補正のための部分群をできるだけ少ないレンズで構成した上で像ぶれ補正の際の光学性能を良好に維持するためのものである。曲率半径の符号は、物体側に向かって凸の形状の場合は正の符号を、像側に向かって凸の形状の場合には負の符号を付け、平面の場合は曲率半径は０であるとする。
【００５４】
条件式（４）は、像ぶれ補正用の部分群の最も物体側（入射側）と最も像側（射出側）のレンズ面の形状を規定する。像ぶれ補正用の部分群をできるだけ少ないレンズで構成することが好ましいが、一方で十分な防振敏感度を得るために十分な屈折力を持たせることも必要である。そのため、像ぶれ補正用の部分群の最も物体側のレンズ面（入射側の面）と最も像側のレンズ面（射出側の面）の曲率半径の値が、像ぶれ補正用の部分群全体の屈折力を適度に保つような量であることが望ましい。
【００５５】
条件式（４）の値が下限を超えると、物体側に凹面を向けたメニスカス形状となる。そうすると像ぶれ補正用の部分群をできるだけ少ないレンズで構成しつつ十分な負の屈折力を持たせ、且つ像ぶれ補正用の部分群内で発生する諸収差を小さくすることが難しくなる。
【００５６】
条件式（４）の値が上限を超えると、物体側のレンズ面が凹面の両凹形状または物体側のレンズ面が凸面のメニスカス形状となる。像ぶれ補正用の部分群をこのような形状で構成すると、像ぶれ補正用の部分群をできるだけ少ないレンズで構成しつつ十分な負の屈折力を持たせ、且つ像ぶれ補正用の部分群内で発生する諸収差を小さくすることが難しくなる。また、更に好ましくは条件式（４）の数値範囲を次の如く設定するのが良い。
−１．４＜（ｒａ＋ｒｂ）／（ｒａ−ｒｂ）＜０．４  ・・・（４ａ）
【００５７】
条件式（５）、（６）は、高い光学性能と全系の小型化をバランス良く保つためのものである。条件式（５）は、第２レンズ群Ｌ２と第３レンズ群Ｌ３の焦点距離の比率を規定し、主に高い光学性能を確保しつつ全系を小型化するためのものである。条件式（５）の下限を超えて第２レンズ群Ｌ２の正の屈折力が弱くなると、変倍のために光軸上を移動する各レンズ群の移動量が大きくなり、全系の小型化が困難になる。また条件式（５）の上限を超えて第２レンズ群Ｌ２の正の屈折力が強くなると、第２レンズ群Ｌ２内で発生する諸収差を良好に補正することが困難となる。
【００５８】
条件式（６）の下限を超えて第４レンズ群Ｌ４の正の屈折力が弱くなると、変倍のために光軸上を移動する各レンズ群の移動量が大きくなり、全系の小型化が困難になる。また条件式（６）の上限を超えて第４レンズ群Ｌ４の正の屈折力が強くなると、第４レンズ群Ｌ４内で発生する諸収差を良好に補正することが困難となる。また、更に好ましくは条件式（５）、（６）の数値範囲を次の如く設定するのが良い。
−１．１＜ｆ２／ｆ３＜−０．７                    ・・・（５ａ）
−１．２＜ｆ４／ｆ３＜−０．９                    ・・・（６ａ）
【００５９】
次に各実施例のレンズ構成について説明する。実施例１は、物体側より順に負、正、負、正の屈折力の第１レンズ群Ｌ１乃至第４レンズ群Ｌ４より構成されるズームレンズである。広角端から望遠端へのズーミングに際しては、第１レンズ群Ｌ１と第２レンズ群Ｌ２のレンズ群の間隔が縮小するように移動する。更に第２レンズ群Ｌ２と第３レンズ群Ｌ３のレンズ群の間隔が拡大、第３レンズ群Ｌ３と第４レンズ群Ｌ４のレンズ群の間隔が縮小するように各レンズ群が移動する。
【００６０】
広角端から望遠端へのズーミングに際して、第１レンズ群Ｌ１は像側に凸状の軌跡を描くように移動する。第２レンズ群Ｌ２、第３レンズ群Ｌ３、第４レンズ群Ｌ４は物体側へ単調に移動する。第２レンズ群Ｌ２内には撮影時の絞り径を決定する開口径可変の開口絞りＳＰを有している。第３レンズ群Ｌ３の物体側には、ズーミングに応じて開口径を変化させて開放Ｆｎｏ．を決定する開放Ｆｎｏ.絞りＳＳＰを有している。
【００６１】
像ぶれ補正は、第３レンズ群Ｌ３を２つに分割した像側の部分群である第３ｂ群Ｌ３ｂを光軸に対して垂直方向の成分を持つように移動させることで行う。また、無限遠から近距離へのフォーカシングは、第２レンズ群を２つに分割した物体側の部分群である第２ａ群Ｌ２ａを像側に移動させることで行う。
【００６２】
実施例２は、レンズ群の数、各レンズ群の屈折力の符号、ズーミングに際しての各レンズ群の移動条件、フォーカシング方式及び像ぶれ補正等に関しては実施例１と同じである。開口絞りＳＰ、開放Ｆｎｏ絞りＳＳＰの配置等に関しては実施例１と同じである。
【００６３】
実施例３は、レンズ群の数、各レンズ群の屈折力の符号、ズーミングに際しての各レンズ群の移動条件、フォーカシング方式及び像ぶれ補正等に関しては実施例１と同じである。開口絞りＳＰ、開放Ｆｎｏ絞りＳＳＰの配置等に関しては実施例１と同じである。
【００６４】
実施例４は、レンズ群の数、各レンズ群の屈折力の符号、ズーミングに際しての各レンズ群の移動条件、フォーカシング方式及び像ぶれ補正等に関しては実施例１と同じである。開口絞りＳＰ、開放Ｆｎｏ絞りＳＳＰの配置等に関しては実施例１と同じである。
【００６５】
実施例５は、レンズ群の数、各レンズ群の屈折力の符号、ズーミングに際しての各レンズ群の移動条件、フォーカシング方式に関しては実施例１と同じである。開口絞りＳＰ、開放Ｆｎｏ絞りＳＳＰの配置等に関しては実施例１と同じである。像ぶれ補正は、第３レンズ群Ｌ３を２つに分割した物体側の部分群である第３ａ群Ｌ３ａを光軸に対して垂直方向の成分を持つように移動させることで行う点が実施例１と異なっている。
【００６６】
実施例６は、レンズ群の数、各レンズ群の屈折力の符号、ズーミングに際しての各レンズ群の移動条件、フォーカシング方式に関しては実施例１と同じである。開口絞りＳＰ、開放Ｆｎｏ絞りＳＳＰの配置等に関しては実施例１と同じである。像ぶれ補正は、第３レンズ群Ｌ３を２つに分割した物体側の部分群である第３ａ群Ｌ３ａを光軸に対して垂直方向の成分を持つように移動させることで行う点が実施例１と異なっている。
【００６７】
次に実施例１乃至６に示したズームレンズを撮像装置に適用した実施例を図１９を用いて説明する。図１９は一眼レフカメラの要部概略図である。図１９において、１０は実施例１乃至６のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に焦点板４に形成された逆像を正立像に変換するペンタダハプリズム５、その正立像を観察するための接眼レンズ６などによって構成されている。
【００６８】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。
【００６９】
本発明のズームレンズはクイックリターンミラーのない所謂ミラーレスのカメラにも同様に適用することができる。
【００７０】
以下に実施例１乃至６に対応する数値データ１乃至６を示す。各数値データにおいてｉは物体側からの面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、ｒを近軸曲率半径、ｋを円錐定数、各非球面係数をＡ４、Ａ６、Ａ８、Ａ１０、Ａ１２としたとき、
【００７１】
【数１】
2017146393.tif 000003
【００７２】
で与えるものとする。各非球面係数における「ｅ±ｘｘ」は「×１０±ｘｘ」を意味して
いる。各非球面は面データにおいて面番号の右側に「＊」印を付して示している。また前述の各条件式と数値データの関係を表１に示す。 
【００７３】
（数値データ１）
単位 mm
面データ
面番号       r        d      nd         νd
1*       122.346    2.80   1.76802    49.2           
2*        16.461    8.83                             
3*      1227.541    1.80   1.85400    40.4           
4*        51.926    6.00                             
5        -44.442    1.20   1.71300    53.9           
6        104.250    0.15                             
7         45.197    6.48   1.73800    32.3           
8        -56.258  (可変)                             
9         38.033    1.00   1.90366    31.3           
10         19.356    4.89   1.65412    39.7           
11       -366.669    6.48                             
12(絞り)    ∞       1.25                             
13         43.022    1.00   1.84666    23.9           
14         27.799    5.04   1.48749    70.2           
15        -47.276  (可変)                             
16          ∞       2.85                             
17        -57.790    0.90   1.83481    42.7           
18        100.186    1.60   1.84666    23.9           
19       -187.491    2.19                             
20        -97.191    0.90   1.73800    32.3           
21         23.306    3.11   1.80809    22.8           
22        111.856  (可変)                             
23         25.225    7.12   1.49700    81.5           
24        -96.070    0.15                             
25         57.651    1.20   1.91082    35.3           
26         19.823    9.47   1.49700    81.5           
27        -41.643    0.11                             
28        -41.643    2.00   1.85400    40.4           
29*       -65.552  (可変)                             
像面        ∞   
【００７４】
非球面データ
第1面
K = 0.00  A 4= 2.02315e-6  A 6= 3.16946e-9  A 8= 4.27994e-12  A10=-3.68520e-15  A12= 1.11133e-18  
第2面
K =-1.25528   A 4=-2.92486e-6  A 6=-4.45676e-8  A 8=-4.60303e-11  A10= 9.30826e-14  
第3面
K = 0.00  A 4=-2.70615e-5  A 6= 6.11817e-8  A 8=-2.95297e-11  A10=-3.64138e-14  
第4面
K = 8.83212   A 4=-1.05936e-5  A 6= 1.39963e-7  A 8=-8.30100e-11  A10= 1.04632e-13  
第29面
K =-3.01677   A 4= 9.94908e-6  A 6= 3.99502e-9  A 8= 2.01046e-10  A10=-8.74104e-13  A12= 2.70504e-15  
【００７５】
各種データ
広角     中間     望遠
焦点距離      16.48    23.72    34.12  
Fナンバー      4.10     4.10     4.10  
半画角（度）  52.70    42.37    32.37  
像高          21.64    21.64    21.64  
レンズ全長   154.82   148.90   153.20  
BF            38.79    48.23    62.06  
d 8           26.57    11.21     1.69  
d15            1.28     5.29     9.75  
d22            9.67     5.66     1.20  
d29           38.79    48.23    62.06  
ズームレンズ群データ
群      焦点距離  
L1      -22.33  
L2       37.39
L3      -44.98
L4       42.58  
L2a       78.54  
L2b       59.32  
L3a     -102.85  
L3b      -84.15  
【００７６】
（数値データ２）
面データ
面番号       r        d      nd         νd
1*       124.088    2.80   1.76802    49.2           
2*        17.386    8.53                             
3*     -2583.428    1.80   1.85400    40.4           
4*        50.027    6.01                             
5        -47.589    1.20   1.72916    54.7           
6         86.152    0.15                             
7         43.182    6.50   1.73800    32.3           
8        -57.228    6.71                             
9         38.228    1.00   1.90366    31.3           
10         19.028    4.77   1.65412    39.7           
11       -745.601  (可変)                             
12(絞り)    ∞       1.54                             
13         55.877    1.00   1.80809    22.8           
14         33.003    4.59   1.59522    67.7           
15        -54.756  (可変)                             
16          ∞       2.76                             
17        -65.874    0.90   1.88300    40.8           
18         63.521    1.73   1.80809    22.8           
19       -334.250    2.28                             
20        -97.172    0.90   1.74950    35.3           
21         29.057    2.82   1.84666    23.9           
22        147.153  (可変)                             
23         25.143    7.57   1.49700    81.5           
24        -82.803    0.15                             
25         57.416    1.20   1.91082    35.3           
26         20.834    9.81   1.49700    81.5           
27        -33.416    0.11                             
28        -33.411    2.00   1.85400    40.4           
29*       -64.354  (可変)                             
像面        ∞   
【００７７】
非球面データ
第1面
K = 0.00  A 4= 2.29745e-6  A 6= 2.52080e-9  A 8= 6.34895e-12  A10=-6.31942e-15  A12= 9.30848e-019  
第2面
K =-1.27916   A 4=-5.48188e-6  A 6=-4.91833e-8  A 8=-3.28594e-11  A10= 1.31864e-13  
第3面
K = 0.00  A 4=-2.63049e-5  A 6= 6.26965e-8  A 8=-3.85506e-11  A10=-1.00289e-14  
第4面
K = 8.37579   A 4=-8.33247e-6  A 6= 1.42787e-7  A 8=-1.10122e-10  A10= 7.76267e-14  
第29面
K =-4.59305   A 4= 1.03304e-5  A 6= 8.83682e-9  A 8= 1.97202e-10  A10=-8.32140e-13  A12= 2.70504e-15  
【００７８】
各種データ
広角     中間     望遠
焦点距離      16.48    23.72    34.13  
Fナンバー      4.10     4.10     4.10  
半画角（度）  52.70    42.37    32.37  
像高          21.64    21.64    21.64  
レンズ全長   154.72   149.02   153.21  
BF            38.79    47.83    61.11  
d 8           25.52    10.77     1.69  
d15            1.43     5.67    10.38  
d22           10.16     5.92     1.20  
d29           38.79    47.83    61.11  
ズームレンズ群データ
群     焦点距離  
L1     -22.15  
L2      36.82
L3     -43.66
L4      42.03  
L2a      86.76  
L2b      53.78  
L3a     -82.48  
L3b     -98.32  
【００７９】
（数値データ３）
面データ
面番号       r        d      nd         νd
1*        88.357    2.80   1.76802    49.2           
2*        15.958    9.11                             
3*       284.914    1.80   1.85400    40.4           
4*        49.341    6.04                             
5        -44.603    1.20   1.65160    58.5           
6         67.862    0.15                             
7         41.647    6.59   1.73800    32.3           
8        -62.185  (可変)                             
9         36.982    1.00   1.90366    31.3           
10         19.086    4.88   1.65412    39.7           
11       -254.722    8.90                             
12(絞り)    ∞       1.51                             
13         52.957    1.00   1.80809    22.8           
14         26.426    5.05   1.58913    61.1           
15        -48.187  (可変)                             
16          ∞       2.85                             
17        -56.129    1.53   1.84666    23.9           
18        -31.449    0.90   1.80400    46.6           
19     -15412.466    2.44                             
20        -83.121    0.90   1.80100    35.0           
21         21.015    3.20   1.84666    23.9           
22        130.260  (可変)                             
23         24.607    7.05   1.49700    81.5           
24       -117.877    0.15                             
25         48.447    1.20   1.91082    35.3           
26         20.682    9.91   1.49700    81.5           
27        -31.957    0.11                             
28        -33.790    2.00   1.85400    40.4           
29*       -64.977  (可変)                             
像面        ∞   
【００８０】
非球面データ
第1面
K = 0.00  A 4= 1.89058e-6  A 6= 6.16494e-10  A 8= 1.29966e-11  A10=-1.79749e-14  A12= 1.27575e-17  
第2面
K =-1.19149   A 4= 4.03142e-6  A 6=-3.14728e-8  A 8=-7.75840e-12  A10=-1.31669e-13  
第3面
K = 0.00  A 4=-2.49927e-5  A 6= 5.78150e-8  A 8=-4.01692e-11  A10=-6.30082e-15  
第4面
K = 8.40055   A 4=-1.34158e-5  A 6= 9.28213e-8  A 8= 5.69361e-11  A10=-1.50083e-13  
第29面
K =-3.83432   A 4= 1.10821e-5  A 6= 1.42406e-8  A 8= 1.57364e-10  A10=-6.92924e-13  A12= 2.70504e-15  
【００８１】
各種データ
広角     中間     望遠
焦点距離      17.30    23.71    34.14  
Fナンバー      4.10     4.10     4.10  
半画角（度）  51.35    42.37    32.37  
像高          21.64    21.64    21.64  
レンズ全長   154.62   149.71   153.33  
BF            38.79    47.17    60.52  
d 8           24.71    11.43     1.70  
d15            1.33     4.02     7.63  
d22            7.49     4.81     1.20  
d29           38.79    47.17    60.52  
ズームレンズ群データ
群     焦点距離  
L1     -22.49  
L2      34.90
L3     -34.90
L4      38.89  
L2a      71.55  
L2b      52.93  
L3a     -73.22  
L3b     -71.08  
【００８２】
（数値データ４）
面データ
面番号       r        d      nd         νd
1*        91.447    2.80   1.76802    49.2           
2*        16.640    8.88                             
3*      -428.213    1.80   1.85400    40.4           
4*        51.406    6.10                             
5        -42.139    1.20   1.69680    55.5           
6         87.611    0.15                             
7         46.364    6.76   1.73800    32.3           
8        -49.340  (可変)                             
9         38.896    1.00   1.90366    31.3           
10         19.094    4.90   1.65412    39.7           
11       -538.474    6.69                             
12(絞り)    ∞       1.00                             
13         35.094    1.00   1.80809    22.8           
14         24.792    5.21   1.48749    70.2           
15        -56.004  (可変)                             
16          ∞       2.52                             
17       -102.889    1.59   1.80809    22.8           
18        -40.845    0.90   1.88300    40.8           
19       5972.555    2.79                             
20        -50.363    3.32   1.90366    31.3           
21        -16.983    0.90   1.83481    42.7           
22      -1062.837  (可変)                             
23         27.397    7.30   1.49700    81.5           
24        -51.549    0.15                             
25         70.742    1.20   1.91082    35.3           
26         25.007    9.00   1.49700    81.5           
27        -27.732    0.11                             
28        -27.732    2.00   1.85400    40.4           
29*       -68.975  (可変)                             
像面        ∞   
【００８３】
非球面データ
第1面
K = 0.00  A 4=-2.68989e-6  A 6= 8.92658e-9  A 8= 3.02794e-12  A10=-1.00455e-14  A12= 7.14517e-18  
第2面
K =-1.41791   A 4=-3.85138e-6  A 6=-6.02166e-8  A 8=-4.97706e-11  A10= 2.17405e-13  
第3面
K = 0.00  A 4=-2.83066e-5  A 6= 5.81975e-8  A 8=-2.80865e-11  A10= 3.50588e-14  
第4面
K = 9.57884   A 4=-1.26383e-5  A 6= 1.25071e-7  A 8=-2.81991e-12  A10=-4.10880e-13  
第29面
K =-6.36366   A 4= 1.15796e-5  A 6= 6.82459e-9  A 8= 2.32851e-10  A10=-1.06853e-12  A12= 2.70504e-15  
【００８４】
各種データ
広角     中間     望遠
焦点距離      16.49    23.72    34.11  
Fナンバー      4.10     4.10     4.10  
半画角（度）  52.69    42.37    32.38  
像高          21.64    21.64    21.64  
レンズ全長   155.20   149.09   153.21  
BF            38.78    47.96    61.70  
d 8           26.60    11.31     1.69  
d15            1.41     5.27     9.35  
d22            9.14     5.28     1.20  
d29           38.78    47.96    61.70  
ズームレンズ群データ
群     焦点距離  
L1     -22.32  
L2      36.67
L3     -43.08
L4      42.53  
L2a      87.06  
L2b      53.94  
L3a    -101.52  
L3b     -77.24  
【００８５】
（数値データ５）
面データ
面番号       r        d      nd         νd
1*       131.942    2.80   1.76802    49.2           
2*        17.972    8.44                             
3*      -610.568    1.80   1.85400    40.4           
4*        47.776    6.44                             
5        -41.261    1.20   1.69680    55.5           
6         96.311    0.15                             
7         46.760    6.72   1.73800    32.3           
8        -49.666  (可変)                             
9         37.045    1.00   1.90366    31.3           
10         18.495    5.00   1.65412    39.7           
11       -476.032    6.55                             
12(絞り)    ∞       1.00                             
13         36.563    1.00   1.80809    22.8           
14         24.523    5.28   1.48749    70.2           
15        -49.598  (可変)                             
16          ∞       3.08                             
17        -42.911    2.41   1.95375    32.3           
18        -17.764    0.90   1.81600    46.6           
19       -350.947    2.51                             
20        -62.079    0.90   1.88300    40.8           
21         54.147    2.40   1.84666    23.9           
22       -723.324  (可変)                             
23         26.312    7.49   1.49700    81.5           
24        -59.451    0.15                             
25         56.695    1.20   1.91082    35.3           
26         22.667    9.62   1.49700    81.5           
27        -27.994    0.11                             
28        -27.993    2.00   1.85400    40.4           
29*       -64.140  (可変)                             
像面        ∞   
【００８６】
非球面データ
第1面
K = 0.00  A 4= 2.55321e-6  A 6= 3.18639e-9  A 8= 4.96663e-12  A10=-7.98548e-15  A12= 5.34338e-18  
第2面
K =-1.42942   A 4=-5.97914e-6  A 6=-4.26645e-8  A 8=-3.15764e-11  A10= 1.33977e-13  
第3面
K = 0.00  A 4=-2.66050e-5  A 6= 6.08328e-8  A 8=-3.74775e-11  A10= 1.41990e-14  
第4面
K = 7.88387   A 4=-7.38093e-6  A 6= 1.28083e-7  A 8=-9.45088e-11  A10=-1.66185e-13  
第29面
K =-4.37354   A 4= 1.17790e-5  A 6= 8.55167e-9  A 8= 2.18203e-10  A10=-9.48204e-13  A12= 2.70504e-15  
【００８７】
各種データ
広角     中間     望遠
焦点距離      16.48    23.72    34.12  
Fナンバー      4.10     4.10     4.10  
半画角（度）  52.69    42.37    32.38  
像高          21.64    21.64    21.64  
レンズ全長   155.07   149.09   153.28  
BF            38.78    47.99    61.68  
d 8           26.37    11.18     1.69  
d15            1.32     4.81     8.55  
d22            8.43     4.94     1.20  
d29           38.78    47.99    61.68  
ズームレンズ群データ
群     焦点距離  
L1     -22.45  
L2      35.78
L3     -37.86
L4      39.69  
L2a      80.75  
L2b      53.83  
L3a     -84.36  
L3b     -73.00  
【００８８】
（数値データ６）
面データ
面番号       r        d      nd         νd
1*       102.416    2.80   1.76802    49.2           
2*        16.537    8.85                             
3*      1746.229    1.80   1.85400    40.4           
4*        49.333    6.10                             
5        -44.110    1.20   1.72916    54.7           
6         88.786    0.15                             
7         44.534    6.68   1.73800    32.3           
8        -52.409  (可変)                             
9         37.509    1.00   1.90366    31.3           
10         19.147    4.84   1.65412    39.7           
11      -1124.792    6.60                             
12(絞り)    ∞       1.44                             
13         52.314    1.00   1.80809    22.8           
14         29.856    4.73   1.60311    60.6           
15        -60.771  (可変)                             
16          ∞       2.50                             
17       -110.499    0.90   1.83481    42.7           
18         19.412    2.74   1.90366    31.3           
19        102.878    2.50                             
20       -295.297    2.96   1.67270    32.1           
21        -26.729    0.90   1.88300    40.8           
22       -648.763  (可変)                             
23         26.057    7.48   1.49700    81.5           
24        -61.739    0.15                             
25         82.951    1.20   1.91082    35.3           
26         23.964    7.99   1.49700    81.5           
27        -49.521    0.11                             
28        -49.519    2.00   1.85400    40.4           
29*       -85.843  (可変)                             
像面        ∞   
【００８９】
非球面データ
第1面
K = 0.00  A 4= 1.33320e-6  A 6= 3.60040e-9  A 8= 4.50632e-12  A10=-4.10972e-15  A12= 2.09431e-18  
第2面
K =-1.29431   A 4=-8.89606e-7  A 6=-4.31660e-8  A 8=-3.97909e-11  A10= 6.90935e-14  
第3面
K = 0.00  A 4=-2.59304e-5  A 6= 6.12159e-8  A 8=-3.77163e-11  A10=-1.69449e-14  
第4面
K = 8.19499   A 4=-1.06461e-5  A 6= 1.29754e-7  A 8=-8.62122e-11  A10= 1.01101e-13  
第29面
K =-9.78850   A 4= 1.22193e-5  A 6= 9.56402e-9  A 8= 2.26477e-10  A10=-9.65554e-13  A12= 2.70504e-15  
【００９０】
各種データ
広角     中間     望遠
焦点距離      16.49    23.72    34.11  
Fナンバー      4.10     4.10     4.10  
半画角（度）  52.69    42.37    32.38  
像高          21.64    21.64    21.64  
レンズ全長   155.07   149.04   153.20  
BF            38.78    48.10    61.84  
d 8           26.61    11.27     1.68  
d15            1.49     5.50     9.85  
d22            9.56     5.55     1.20  
d29           38.78    48.10    61.84  
ズームレンズ群データ
群     焦点距離  
L1     -22.15  
L2      36.92
L3     -45.10
L4      43.41  
L2a      84.90  
L2b      54.87  
L3a     -77.75  
L3b    -113.58  
【００９１】
【表１】
2017146393.tif 000004
【符号の説明】
【００９２】
Ｌ１  第１レンズ群      Ｌ２  第２レンズ群      Ｌ３  第３レンズ群
Ｌ４  第４レンズ群      Ｌ２ａ  第２ａ群      Ｌ２ｂ  第２ｂ群
Ｌ３ａ  第３ａ群      Ｌ３ｂ  第３ｂ群
【図１】
2017146393.tif 000005
【図２】
2017146393.tif 000006
【図３】
2017146393.tif 000007
【図４】
2017146393.tif 000008
【図５】
2017146393.tif 000009
【図６】
2017146393.tif 000010
【図７】
2017146393.tif 000011
【図８】
2017146393.tif 000012
【図９】
2017146393.tif 000013
【図１０】
2017146393.tif 000014
【図１１】
2017146393.tif 000015
【図１２】
2017146393.tif 000016
【図１３】
2017146393.tif 000017
【図１４】
2017146393.tif 000018
【図１５】
2017146393.tif 000019
【図１６】
2017146393.tif 000020
【図１７】
2017146393.tif 000021
【図１８】
2017146393.tif 000022
【図１９】
2017146393.tif 000023